(57)【特許請求の範囲】
【請求項１】
シャッター開閉用開口の両側に配置され、上部に収納ボックスを有する左右一対のガイドレールと、これらのガイドレール間を昇降開閉するシャッターカーテンと、前記収納ボックス内に配置され、且つ、スプリングバランス力を有して前記シャッターカーテンを巻き取るカーテン巻き取り手段とを備え、前記スプリングバランス力を利用した手動開閉が可能な巻き上げ式シャッター開閉装置において、前記左右のガイドレール間で前記シャッターカーテンの垂直面方向に沿った電動開閉機構を設け、この電動開閉機構は、電動モータと、該電動モータの回転力を前記シャッターカーテンの昇降開閉力として該シャッターカーテンに伝達する動力伝達機構と、少なくとも前記動力伝達機構を覆う正面柱状のハウジングとを備え、そのハウジングを前記左右のガイドレール間で前記シャッターカーテンに沿って垂直方向に据え付け固定し、
前記動力伝達機構は、前記電動モータの回転力により縦方向に無端運動を行う伝達用条材と、この伝達用条材と前記シャッターカーテンとの間に介在し、前記伝達用条材の無端運動に伴って上下方向に移動して前記シャッターカーテンを昇降開閉させるスライダーとを備え、
前記シャッターカーテンの下部に係合孔を有し、前記スライダーにはスプリングを備えた連結部材が取り付けられ、前記連結部材の先端には係合部を有し、係合孔と係合部とが係脱自在となるよう、スプリングで付勢された前記連結部材と、前記ハウジングの背部の上下に突片を取り付けるとともに、前記突片をそれぞれ前記収納ボックス及び下部フレームに取り外し可能となるようにボルト，ナット等で固定したことを特徴とする巻き上げ式シャッター開閉装置。
【発明の詳細な説明】
【０００１】
【発明の属する技術分野】
この発明は、建物のシャッター開閉用開口を昇降開閉する巻き上げ式シャッター開閉装置に関し、特にシャッターカーテンの開閉手段を改良した巻き上げ式シャッター開閉装置に関するものである。
【０００２】
【従来の技術】
図１１は従来の巻き上げ式シャッター開閉装置を示す概略的な斜視図であり、図において、１はシャッター開閉用開口の両側に起立配置された左右一対のガイドレールであり、これらのガイドレール１は対向面側に縦長開口を有する断面ほぼコ字状の部材からなっている。
【０００３】
２はガイドレール１の上部に配置された収納ボックスであり、左右両側にブラケット２ａ，２ｂを備えている。３は左右のガイドレール１間に両側部が昇降自在に嵌込み係合されて該ガイドレール１間を昇降開閉する上下複数段のスラットであり、これらのスラット３相互を屈曲回動自在に連結することによりシャッターカーテン４が構成されている。５は前記収納ボックス２内に配置され、前記シャッターカーテン４を収納ボックス２内に順次巻き取るシャッターカーテン巻き取り手段である。
【０００４】
ここで、シャッターカーテン巻き取り手段５について説明すると、図１０では特に電動式のシャッターカーテン巻き取り手段を示しており、６は前記収納ボックス２の左右のブラケット２ａ，２ｂ間に架設されたシャフトであり、このシャフト６には左右一対のホイル１０ａ，１０ｂが回転自在に嵌着され、これらのホイル１０ａ，１０ｂ間には、前記シャフト６に平行する複数本の補助バー１０ｃが横架されている。
【０００５】
以上において、前記シャフト６に嵌着された左右一対のホイル１０ａ，１０ｂと前記補助バー１０ｃはカーテン巻取部１０を構成しており、このカーテン巻取部１０は、一端部が固定側に且つ他端部が可動側である前記ホイル１０ａまたは１０ｂに連結されたコイル状のバランススプリングＳ１を備えている。
【０００６】
かかるカーテン巻取部１０は、前記収納ボックス２内で一側のブラケット２ａに装着された電動モータ８により、伝導チェーン９および従動スプロケット７を介して正逆回転駆動されるようになっている。
【０００７】
【発明が解決しようとする課題】
従来の巻き上げ式シャッター開閉装置は以上のように構成され、シャッターカーテン巻き取り手段５が収納ボックス２内に配置されていたため、特に電動モータ８の配置スペースを確保するために、収納ボックス２を前方に張り出して構成しなければならず、その分、収納ボックス２全体が大型化するという課題があった。また、収納ボックス２内から繰り出されたシャッターカーテン４は、その左右両端部のみが左右のガイドレール１によって保持されるだけであるため、特に左右ガイドレール１間のスパンが大きくなると、シャッターカーテン４の保持強度が低下し、これによって耐風圧性能等も低下してしまうという課題もあった。さらに、例えば停電時等の非常時にあって、手動によりシャッターの開閉を行わなければならない場合、多大な労力を要するという課題もあった。
【０００８】
この発明は上記のような課題を解決するためになされたもので、収納ボックスを小型化することができるとともに、大スパンのシャッターカーテンであっても、その耐風圧性能を向上させることができ、しかも、手動開閉式シャッターを容易に電動化できる巻き上げ式シャッター開閉装置を得ることを目的とする。
【０００９】
【課題を解決するための手段】
請求項１記載の発明に係る巻き上げ式シャッター開閉装置は、シャッター開閉用開口の両側に配置され、上部に収納ボックスを有する左右一対のガイドレールと、これらのガイドレール間を昇降開閉するシャッターカーテンと、前記収納ボックス内に配置され、且つ、スプリングバランス力を有して前記シャッターカーテンを巻き取るカーテン巻き取り手段とを備え、前記スプリングバランス力を利用した手動開閉が可能な巻き上げ式シャッター開閉装置において、前記左右のガイドレール間で前記シャッターカーテンの垂直面方向に沿った電動開閉機構を設け、この電動開閉機構は、電動モータと、該電動モータの回転力を前記シャッターカーテンの昇降開閉力として該シャッターカーテンに伝達する動力伝達機構と、少なくとも前記動力伝達機構を覆う正面柱状のハウジングとを備え、そのハウジングを前記左右のガイドレール間で前記シャッターカーテンに沿って垂直方向に据え付け固定し、前記動力伝達機構は、前記電動モータの回転力により縦方向に無端運動を行う伝達用条材と、この伝達用条材と前記シャッターカーテンとの間に介在し、前記伝達用条材の無端運動に伴って上下方向に移動して前記シャッターカーテンを昇降開閉させるスライダーとを備え、前記シャッターカーテンの下部に係合孔を有し、前記スライダーにはスプリングを備えた連結部材が取り付けられ、前記連結部材の先端には係合部を有し、係合孔と係合部とが係脱自在となるよう、スプリングで付勢された前記連結部材と、前記ハウジングの背部の上下に突片を取り付けるとともに、前記突片をそれぞれ前記収納ボックス及び下部フレームに取り外し可能となるようにボルト，ナット等で固定したものである。
【００１２】
【発明の実施の形態】
以下、この発明の実施の一形態を説明する。
なお、図１０と同一又は相当部分には同一符号を付して重複説明を省略する。
参考例１．
図１はこの発明の実施の一形態による巻き上げ式シャッター開閉装置を示す概略的な正面図、図２は図１の概略的な斜視図、図３は図１のＡ−Ａ線断面図、図４は図１のＢ−Ｂ線断面図である。
【００１３】
１１は前記ガイドレール１間の中央で前記シャッターカーテン４の垂直面方向に沿って配置された電動開閉機構であり、この電動開閉機構１１の具体的構成を図５から図７に基づいて以下に説明する。
【００１４】
図５から図７において、１２は電動開閉機構１１のハウジングであって、このハウジング１２は、裏面側に縦方向に沿う溝が形成された防水シール１２Ａが設けられた正面柱状の縦長中空部材からなっているもので、上部取付片部１２ａと下部取付片部１２ｂとを有している。
【００１５】
かかるハウジング１２内には、電動モータ１３と、この電動モータ１３の回転出力を前記シャッターカーテン４の昇降開閉力として該シャッターカーテン４に伝達する動力伝達機構１４とがユニット化されている。
【００１６】
さらに詳しく述べると、前記電動モータ１３の出力回転軸には主動側の傘歯車１５が嵌着され、この傘歯車１５には従動側の傘歯車１６を噛合させている。そして、ハウジング１２内には、前記従動側の傘歯車１６と同軸上の上部プーリ１７と下部プーリ１８とが配置され、これらプーリの１７，１８には伝動用条材としてのベルト１９が巻回されている。
【００１７】
さらに、前記プーリ１７，１８間においてベルト１９の片側（図６で左右相対的に運動するベルト１９の片側）にはスライダー２０が取り付けられている。このスライダー２０には、左右両側で一対のコロ２１が二組設けられている一方、突片状のアーム２２が固着されていて、前記コロ２１がハウジング１２内部に形成した縦溝１２ａに係合支持されて転動可能になっているとともに、アーム２２がシャッターカーテン４の最下端のスラット３に取り付けられている。
【００１８】
ここで、アーム２２と最下部スラット（水切り）３との取付部位について説明すると、これらのアーム２２と最下部スラット３とは連結部材２４で着脱可能に連結されている。
【００１９】
即ち、前記連結部材２４は先端部に鉤状の係合部（係合爪）２４ａを有するもので、この係合部２４ａを、最下部スラット３に設けられた係合孔３ａに係合させる方向にスプリングＳ２で付勢されている。
【００２０】
したがって、シャッターカーテン４の裏面側から連結部材２４をスプリングＳ２に抗して人為的操作で移動させることにより、前記係合部２４ａを係合孔３ａから引き出せば、アーム２２とスラット３との連結を容易に解除することができ、その解除によって、通常の手動開閉式シャッターとして機能させることができる。
【００２１】
一方、前記電動モータ１３は、ケーブル２５を介して外部コントローラ２６に接続され、この外部コントローラ２６の起動によって正逆両方向に回転するようになっている。
【００２２】
以上のように構成された電動開閉機構１１は、ハウジング１２の上部取付片部１２ａが収納ボックス２の底面に固定される一方、下部取付片部１２ｂが窓等のサッシの下部フレームＦに固定されることにより、左右のガイドレール１間でシャッターカーテン４に沿って垂直方向に立設固定されている。
【００２３】
次に動作について説明する。
ガイドレール１の相互間にシャッターカーテン４が全て繰り出されたシャッター全閉状態において、スイッチ操作による外部コントローラ２６の起動により電動モータ１３が回転駆動されると、該電動モータ１３の回転が傘歯車１５，１６を介して上部プーリ１７に伝達される。この上部プーリ１７が回転すると、下部プーリ１８との間に巻回されたベルト１９が無端運動し、この無端運動に伴ってコロ２１が転動しつつスライダー２０が上側に移動する。
【００２４】
このスライダー２０の移動に伴い、シャッターカーテン４はその最下端が上方へ押し上げられる。これによって、シャッターカーテン４は収納ボックス２内に進入してカーテン巻取部１０で巻き取られ、スライダー２０が収納ボックス２の下部近傍に到達した時点でカーテン収納動作は終了する。
【００２５】
このようなシャッターカーテン収納状態から電動モータ１３が逆回転駆動されると、該電動モータ１３の回転によるスライダー２０の下側への移動によって、一連のシャッターカーテン４は、収納ボックス２２内で巻き取られた状態から順次繰り出され、ガイドレール１に沿った縦下降移動した後に該ガイドレール１間を閉鎖する。
【００２６】
また、シャッター閉鎖状態における停電時およびその他の非常時には、シャッターカーテン４の最下部に位置する連結部材２４の係合部２４ａをスプリングＳ２に抗して最下部スラット３の係合孔３ａから引き出せば、シャッターカーテン４とスライダー２０との連結が解除されるので、そのシャッターカーテン４を人為的操作で押し上げれば、該シャッターカーテン４は、従来の手動開閉式シャッターの場合と同様にスプリングＳ１のバランス力を利用したカーテン巻取部１０に巻き取られる。従って、停電時およびその他の非常時には手動で開閉することができる。
【００２７】
参考例２．
上述した参考例１では、前記電動モータ１３を縦方向に沿って配置した構成を示したが、図８に示すように、電動モータ１３を横方向に沿って配置し、該電動モータ１３の出力軸に直接前記プーリ１７を取り付けた構成としてもよい。この場合は、参考例１において傘歯車１５，１６に相当した部品を省けるため、部品点数の減少が図れるとともに、ハウジング１２の幅（図における寸法ｔ）を小さく構成することができ、電動開閉機構１１全体をさらに小型化することができる。なお、電動モータ１３は、収納ボックス２の内部に横置きしてもよい。
【００２８】
実施の形態１．
上述した参考例１では、ハウジング１２と取付片部１２ａ，１２ｂとを一体形成したが、これらを別個に形成してもよい。すなわち、ハウジング１２の背部に上下方向に突出した突片３０を取り付けるとともに、取付片部１２ａ，１２ｂをそれぞれ鉤状に形成して前記突片３０との相対的な突片３１を形成しておく。そして、取付片部１２ａ，１２ｂをそれぞれ収納ボックス２，下部フレームＦに直接固定し、この取付片部１２ａ，１２ｂの突片４１とハウジング１２の突片４０とをボルト，ナット等で組み付けるようにする。このような構成とした場合は、電動開閉機構１１の取り付け，取り外しが容易になり、特に大型の荷物の出し入れ時等に際し、電動開閉機構１１が邪魔になるときに好適である。
【００２９】
なお、上記実施の形態では、プーリ１７，１８間にベルト１９を巻回する場合について説明したが、このベルト１９はチェーンやワイヤー等の伝動用条材であってもよく、その伝動用条材の種類によって、前記プーリ１７，１８を例えばスプロケット等に置換し得るものである。
【００３０】
【発明の効果】
以上のように、請求項１記載の発明によれば、左右のガイドレール間でシャッターカーテンの垂直面方向に沿った電動開閉機構を設けたので、収納ボックス内にはシャッターカーテンの巻き取り収納スペースのみを設ければよく、したがって収納ボックス全体を小型化することができるという効果がある。また、電動開閉機構は、手動式の巻き上げ式シャッター開閉装置にもユニット化して簡単に取り付けることができ、既設の手動式の巻き上げ式シャッター開閉装置を容易に電動化することができるという効果もある。さらに、この電動開閉機構を設けることにより、該電動開閉機構全体が左右のガイドレール間でシャッターカーテン補強用の中柱の機能を果たすので、これによって巻き上げ式シャッター開閉装置の強度が一層向上し、耐風圧性能等が向上するという効果もある。
【００３１】
また、動力伝達機構は、伝達用条材とスライダーとを備えた構成としたので、簡単な構成で円滑な動力伝達を可能にすることができるとともに、電動開閉機構のユニット化を容易にすることができる効果がある。
【００３２】
また、スライダーに連結部材を取り付けた構成としたので、停電時等の非常時においても、シャッターカーテンの手動による開閉を極めてスムーズに行うことができるとともに、この手動による開閉に伴う電動開閉機構を防止し得るという効果がある。
また、ハウジングの背部の上下に突片を取り付けるとともに、突片をそれぞれ収納ボックス及び下部フレームに取り外し可能となるようにボルト，ナット等で固定したので、電動開閉機構の取り付け，取り外しが容易になり、特に大型の荷物の出し入れ時等に際し、電動開閉機構が邪魔になるときに好適であるという効果がある。
【図面の簡単な説明】
【図１】この発明の実施の一形態による巻き上げ式シャッター開閉装置を示す概略的な正面図である。
【図２】図１の概略的な斜視図である。
【図３】図１のＡ−Ａ線断面図である。
【図４】図１のＢ−Ｂ線断面図である。
【図５】図１から図４における電動開閉機構の側断面拡大図である。
【図６】図１から図４における電動開閉機構の正断面拡大図である。
【図７】図１から図４における電動開閉機構の詳細な構成を示す平断面拡大図である。
【図８】図８（ａ）は、図７におけるスラット連結部の説明図、図８（ｂ）は、図８（ａ）におけるスライダーとスラットの連結部を示す側面図である。
【図９】図９（ａ）は、この発明の実施の他の形態による巻き上げ式シャッター開閉装置の一部を示す概略断面図、図９（ｂ）は、図９（ａ）のＣ−Ｃ断面図である。
【図１０】この発明の実施の他の形態による巻き上げ式シャッター開閉装置の部分詳細図である。
【図１１】従来の巻き上げ式シャッター開閉装置の一例を示す概略的な斜視図である。
【符号の説明】
１  ガイドレール
２  収納ボックス
４  シャッターカーテン
５  シャッターカーテン巻き取り手段
１１  電動開閉機構
１２  ハウジング
１３  電動モータ
１４  動力伝達機構
１９  ベルト（伝動用条材）
２０  スライダー
２４  連結部材
２４ａ  係合部
【図１】
0003602220.tif 000002
【図２】
0003602220.tif 000003
【図３】
0003602220.tif 000004
【図４】
0003602220.tif 000005
【図５】
0003602220.tif 000006
【図６】
0003602220.tif 000007
【図７】
0003602220.tif 000008
【図８】
0003602220.tif 000009
【図９】
0003602220.tif 000010
【図１０】
0003602220.tif 000011
【図１１】
0003602220.tif 000012